(57)【要約】【課題】被写体光の入射光軸（第１の光軸）と平行な方向の厚みが薄く、小型化が可能なカメラを提供する。【解決手段】この電子カメラ１には、被写体光束を下方側に屈折するプリズム３３を有するレンズ鏡筒１０と、レンズ鏡筒１０の左，右に配される電気基板ユニット５および電源ユニット５と、レンズ鏡筒１０の後側に配されるＬＣＤユニット９と、ＬＣＤユニット９の上部に配されるスイッチ基板５８とが前，後カバー２，３に覆われて内蔵される。ＬＣＤユニット９は、下方に向けて厚みが減じる導光板１７を有し、レンズ鏡筒１０は、下方側にて後方に向けて突出するＣＣＤ５５とＣＣＤ基板５６を有している。レンズ鏡筒１０の突出側であるＣＣＤ側と、ＬＣＤユニット９の厚みの薄い側とを対向させた状態でカメラ内に収納する。したがって、カメラのさらなる薄型化が可能になる。【選択図】    図１
2004173204.tif 000002
【特許請求の範囲】
【請求項１】
カメラ背面に配される液晶表示板と、上記液晶表示板の略全面にわたって配され、一端の肉厚部から他端の薄肉部を有し、その厚みが変化するように形成された導光板と、上記導光板の肉厚部側に配された照明用光源とからなる表示ユニットと、
上記導光板に近接して配置され、第１の光軸に沿って入射した被写体光を上記第１の光軸と交差する第２の光軸に沿うように反射させる反射光学部材と、複数のレンズ群とからなる光学系とを有し、略直方体形状のレンズ鏡筒と、
上記レンズ鏡筒の上記第２の光軸方向の一端部に上記第２の光軸の直交面上に配され、上記光学系により結像された像を撮像するための撮像素子と、
を具備し、上記導光板の薄肉部が上記撮像素子側に配されることを特徴とするカメラ。
【請求項２】
上記第２の光軸に略直交する平面内に上記レンズ鏡筒の外形よりも上記導光板側に突出するように配され、上記撮像素子が実装される撮像素子用電気基板を具備することを特徴とする請求項１に記載のカメラ。
【請求項３】
上記レンズ鏡筒の側方に配置される電気基板ユニットと、
上記撮像素子用電気基板と上記電気基板ユニットとを接続するための撮像素子接続用フレキシブルプリント基板と、
を具備し、上記撮像素子接続用フレキシブルプリント基板は、上記導光板とレンズ鏡筒との間に形成される挿通路を通って、上記電気基板ユニツトヘと接続されることを特徴とする請求項２に記載のカメラ。
【請求項４】
使用者により操作される操作部材と、
上記操作部材の操作状態を検出するためのスイッチ手段と、
上記スイッチ手段が配されるスイッチ基板と、
を具備し、上記表示ユニットの少なくとも一部は、上記電気基板ユニットの後方に配されており、上記スイッチ基板は、上記表示ユニットの上方に配置され、上記液晶表示板および上記照明用光源が上記スイッチ基板を介して上記電気基板ユニットに接続されることを特徴とする請求項１乃至３に記載のカメラ。
【請求項５】
上記スイッチ基板の一部は、上記電気基板ユニットの上方に位置することを特徴とする請求項４に記載のカメラ。
【請求項６】
上記スイッチ基板は、上記電気基板ユニットの後方に位置することを特徴とする請求項４に記載のカメラ。
【請求項７】
上記カメラの外部の少なくとも一部を覆う外装部材を有し、上記表示ユニットと上記操作部材と上記スイッチ基板は、上記外装部材に取り付けられることを特徴とする請求項４乃至６に記載のカメラ。
【発明の詳細な説明】
【０００１】
【発明の属する技術分野】
本発明は、カメラの構造、特にカメラに内蔵される電気部材のレイアウトに関する。
【０００２】
【従来の技術】
従来、電子カメラに関して特許文献１に開示されたものは、プリズムにより取り込まれる第１の光軸の沿った被写体光束を第１の光軸と直交する第２の光軸方向に折り曲げて、複数のレンズ群からなる光学系に上記被写体光束を入射させる、所謂、折り曲げ光学系を持つレンズ鏡筒を内蔵する電子カメラ（電子的撮像装置）に関するものである。この電子カメラにおいては、上記レンズ鏡筒の左右両側に跨った切り欠きを有する電気配線基板が配置され、さらに、上記電気配線基板および上記レンズ鏡筒の背面側にＬＣＤ表示部が配置されており、カメラの小型化、薄型化が図られたものである。
【０００３】
【特許文献１】
特許文献１は、特開平１１−１９６３０３号公報である。
【０００４】
【発明が解決しようとする課題】
しかし、上記特許文献１に開示された電子カメラにおいては、レンズ鏡筒内の第２の光軸に沿った方向の下方の位置に撮像素子（ＣＣＤ）が配置されており、その撮像素子の結像面は、第２の光軸と直交する方向に沿って配置されている。。上記ＣＣＤは、ＣＣＤ用ＦＰＣ（フレキシブルプリント基板）に実装され、さらに、上記ＣＣＤ用ＦＰＣは、その下方に平行状態で配置される撮像基板にコネクタ接続されている。そして、上記ＣＣＤ用ＦＰＣおよび上記撮像基板は、レンズ鏡筒の下部において前後方向の外形よりも後方に突出した状態で配置される。
【０００５】
上記特許文献１の電子カメラにおいては、上記レンズ鏡筒の背面側に上記ＬＣＤ表示部が配置されるが、上述のように上記ＣＣＤ用ＦＰＣおよび上記撮像基板は突出しているため、上記ＬＣＤ表示部を上記ＣＣＤ用ＦＰＣおよび上記撮像基板の配設領域の上方部に配置せざるを得ない。したがって、カメラの厚みの薄型化は可能になったとしても、カメラの上下方向の高さが上記ＣＣＤ用ＦＰＣ，上記撮像基板の寸法だけ高くなり、さらに、ＬＣＤ表示部が上方に移動することからストロボ部や操作スイッチ部との干渉も生じる。
【０００６】
本発明は、上述の不具合を解決するためになされたものであり、レンズ鏡筒まわりの各電装部材等の配置に対してデッドスペ−スが生じることなく、さらなる薄型化、小型化は可能なカメラを提供することを目的とする。
【０００７】
【課題を解決するための手段】
本発明の請求項１記載のカメラは、カメラ背面に配される液晶表示板と上記液晶表示板の略全面にわたって配され、一端の肉厚部から他端の薄肉部を有し、その厚みが変化するように形成された導光板と上記導光板の肉厚部側に配された照明用光源とからなる表示ユニットと、上記導光板に近接して配置され、第１の光軸に沿って入射した被写体光を上記第１の光軸と交差する第２の光軸に沿うように反射させる反射光学部材と複数のレンズ群とからなる光学系とを有し、略直方体形状のレンズ鏡筒と、上記レンズ鏡筒の上記第２の光軸方向の一端部に上記第２の光軸の直交面上に配され、上記光学系により結像された像を撮像するための撮像素子とを具備しており、上記導光板の薄肉部が上記撮像素子側に配される。
【０００８】
本発明の請求項２記載のカメラは、請求項１記載のカメラにおいて、上記第２の光軸に略直交する平面内に上記レンズ鏡筒の外形よりも上記導光板側に突出するように配され、上記撮像素子が実装される撮像素子用電気基板を具備する。
【０００９】
本発明の請求項３記載のカメラは、請求項２記載のカメラにおいて、さらに、上記レンズ鏡筒の側方に配置される電気基板ユニットと、上記撮像素子用電気基板と上記電気基板ユニットとを接続するための撮像素子接続用フレキシブルプリント基板とを具備しており、上記撮像素子接続用フレキシブルプリント基板は、上記導光板とレンズ鏡筒との間に形成される挿通路を通って、上記電気基板ユニツトヘと接続される。
【００１０】
本発明の請求項４記載のカメラは、請求項１乃至３記載のカメラにおいて、さらに、使用者により操作される操作部材と、上記操作部材の操作状態を検出するためのスイッチ手段と、上記スイッチ手段が配されるスイッチ基板とを具備しており、上記表示ユニットの少なくとも一部は、上記電気基板ユニットの後方に配されており、上記スイッチ基板は、上記表示ユニットの上方に配置され、上記液晶表示板および上記照明用光源が上記スイッチ基板を介して上記電気基板ユニットに接続される。
【００１１】
本発明の請求項５記載のカメラは、請求項４記載のカメラにおいて、上記スイッチ基板の一部は、上記電気基板ユニットの上方に位置する。
【００１２】
本発明の請求項６記載のカメラは、請求項４記載のカメラにおいて、上記スイッチ基板は、上記電気基板ユニットの後方に位置する。
【００１３】
本発明の請求項７記載のカメラは、請求項４乃至６記載のカメラにおいて、さらに、上記カメラの外部の少なくとも一部を覆う外装部材を有し、上記表示ユニットと上記操作部材と上記スイッチ基板は、上記外装部材に取り付けられる。
【００１４】
【発明の実施の形態】
以下、本発明の実施の形態を図に基づいて説明する。
図１は、本発明の一実施形態である電子カメラの分解斜視図である。
【００１５】
なお、以下の説明において、図１に示すように被写体光束の入射方向である第１の光軸Ｏ１  に沿った方向をＺ方向とし、電子カメラの被写体側方向のＺ（＋）方向を前方、カメラ背面側方向のＺ（−）方向を後方とする。Ｚ方向に垂直な方向で上下方向をＹ方向とし、Ｙ（＋）方向を上方向、Ｙ（−）方向を下方向とする。Ｚ方向に垂直な方向で左右方向をＸ方向とし、カメラを被写体側からみてＸ（＋）方向を右方向、Ｘ（−）方向を左方向とする。
【００１６】
図１に示すように本実施形態の電子カメラ１は、所謂、デジタルカメラであり、外装部材としての前カバー２および後カバー３を有し、上記前カバー２と、後カバー３内に収納される構成ユニットとしてレンズ鏡筒１０と、電気基板ユニット５と、電源ユニット６と、ストロボユニット７と、ストロボチャージ用コンデンサ８と、表示ユニットであるＬＣＤユニット９と、スイッチ基板５８とを有してなる。
【００１７】
上記前カバー２にはその前面部に、僅かに上方に突出した被写体光束を取り込むための撮影窓部２ａと、ストロボ発光窓部２ｂとが配置されている。
【００１８】
上記後カバー３には、その上面部に使用者によって操作される操作部材として、２段操作のレリーズ釦２６，パワースイッチ釦２７ａ，モード設定釦２７ｂが釦開口部３ｂ，３ｃ，３ｄに挿入される。後カバー３の背面部にＬＣＤ開口窓部３ａが設けられている。上記ＬＣＤ開口窓部３ａの背面側には、透明部材である透明板４が貼付され、その透明板４によりＬＣＤ窓部が形成される。
【００１９】
上記前カバー２内に配置されるレンズ鏡筒１０は、カメラ装着状態でＸ，Ｙ平面に沿った前面部をもち、長手方向がＹ方向であって、Ｚ方向に比較的薄い厚みをもつ略直方体形状の外形を有し、その上方部に傾斜面３１ｃ（図３）が形成され、第１の光軸Ｏ１  （Ｚ方向）に沿った被写体光束を取り込むための反射光学部材のプリズム３３（折り曲げ光学系を形成）が収納される枠部材である第１の保持部材３１と、第１の保持部材が連結固定され、撮影レンズ系が収納される枠部材である固定枠３２とを有している。
【００２０】
このレンズ鏡筒１０においては、上記プリズム３３により取り込まれた第１の光軸Ｏ１  方向の被写体光束が第２の光軸Ｏ２方向に反射され、固定枠３２に収納される撮影レンズ系（後述）を介して撮像素子であるＣＣＤ５５の結像面に結像され、被写体像の撮像信号に変換される。なお、レンズ鏡筒１０のその内部構造の詳細は後述する。
【００２１】
上記ＣＣＤ５５は、固定枠３２の下部に配置される撮像素子用電気基板のＣＣＤ基板５６上に実装される。なお、ＣＣＤ基板５６には、撮像素子接続用フレキシブルプリント基板（以下、ＦＰＣと記載）であるＣＣＤ接続用ＦＰＣ５７が接続されている。このＣＣＤ接続用ＦＰＣ５７は、後述する制御用メイン基板１８側に接続される。
【００２２】
上記電気基板ユニット５は、後述する電子カメラの電気回路の各制御要素が実装される２枚の制御用電気基板であるメイン基板１８とサブ基板１９を有してなり、上記メイン基板１８とサブ基板１９は、フレキシブルプリント基板（以下、ＦＰＣと記載する）２２により連結接続され、２枚重ね状態で前カバー２に収納される。
【００２３】
上記メイン基板１８には、後述する制御回路用電装品の他にＣＣＤ接続用ＦＰＣ５７が接続されるコネクタ１８ａ、および、スイッチ基板接続用ＦＰＣ２３が接続されるコネクタ１８ｂが実装される。
【００２４】
また、上記サブ基板１９の外側には、記録メディアスロット２１が実装されており、上記メディアスロット２１は、接続用ＦＰＣ２２を介してメイン基板１８側と接続される。
【００２５】
上記電源ユニット６は、電池ケース１１と、上記電池ケース１１に収納されるカメラ電源用電池１２とからなり、ＸＹ面に広がる平面を有し、Ｚ方向の厚みが比較的に薄い直方体形状を有する。
【００２６】
上記ストロボユニット７は、ストロボ本体１３と、ストロボ本体１３の反射傘内部に支持されるストロボ発光管１４とからなる。
【００２７】
上記ＬＣＤユニット９は、Ｘ，Ｙ平面に沿った表示面を有する液晶表示板であるＬＣＤ表示板１５と、ＬＣＤ表示板１５の上側位置に配置され、Ｘ方向に延びるＬＣＤ照明用光源１６と、ＬＣＤ照明用光源１６の下部に配置され、略ＬＣＤ表示板１５の反表示面側を覆う導光板１７とを有してなる。
【００２８】
上記ＬＣＤ照明用光源１６は、蛍光放電発光管、または、ＬＥＤチップにより構成され、スイッチ基板５８にコネクタ接続される接続用ＦＰＣ５９ｂを有している。
【００２９】
上記導光板１７は、Ｙ方向に肉厚が変化する部材であって、ＬＣＤ照明用光源１６側である上方が厚肉で形成され、下方が薄肉で形成される。
【００３０】
上記ＬＣＤ表示板１５には、スイッチ基板５８にコネクタ接続される接続用ＦＰＣ５９ａが設けられている。
【００３１】
上記スイッチ基板５８には、複数のスイッチ手段である上記レリーズ釦２６でオンオフ操作されるレリーズスイッチ５８ｄと、上記パワースイッチ釦２７ａでオンオフ操作されるパワースイッチ５８ｅと、上記モード設定釦２７ｂでオンオフ操作されるモード設定スイッチ５８ｆとが実装されている。さらに、上記スイッチ基板５８には、接続用ＦＰＣ２３が接続されるコネクタ５８ａの他に上記ＬＣＤ表示板１５側の接続用ＦＰＣ５９ａが接続されるコネクタ５８ｂと、上記ＬＣＤ照明用光源１６側の接続用ＦＰＣ５９ｂが接続されるコネクタ５８ｃとが実装されており、このスイッチ基板５８が後述するようにＬＣＤユニット９のメイン基板側への接続中継基板としても機能する。（図９）。
【００３２】
上記各構成ユニットがそれぞれ前，後カバー２，３内へ収納された状態では、前カバー２の内部中央にレンズ鏡筒１０を配し、レンズ鏡筒１０の右側に隣接した状態で電源ユニット６が配され、レンズ鏡筒１０の左側に隣接した状態で電気基板ユニット５が配される。さらに、ストロボユニット７が電源ユニット６の上部に固定され、ストロボチャージ用コンデンサ８がストロボユニット７の後方からレンズ鏡筒１０の上部傾斜面３１ｃの後方まで進入した状態で固着される。
【００３３】
一方、ＬＣＤユニット９は、後カバー３の内部にＬＣＤ表示板１５の表示面を開口部３ａに対向させた状態で固定配置される。同時にスイッチ基板５８は、後カバー３の内部の、ＬＣＤユニット９の左側上方位置であって、電気基板ユニット５の上部後方位置に固定配置される。
【００３４】
レンズ鏡筒１０，電気基板ユニット５，電源ユニット６を収納した状態の上記前カバー２と、ＬＣＤユニット９，スイッチ基板５８が固定された上記後カバー３とを合わせ、接続用ＦＰＣ２３をスイッチ基板５８上のコネクタ５８ａに接続し、さらに、ビスにより締結することによって電気的、且つ、機構的に一体化し、電子カメラ１として完成する。
【００３５】
なお、上記収納状態では、レンズ鏡筒１０のプリズム３３の入射開口部が前カバー２の撮影窓２ａに対向して位置し、ストロボユニット７の発光部がストロボ発光窓２ｂの後方に対向して位置する。さらに、ＬＣＤユニット９のＬＣＤ表示板１５は、後カバー３のＬＣＤ開口部３ａに対向して位置する。
なお、上記前，後カバー内への収納状態のさらなる詳細は、図５等を用いて後で説明する。
【００３６】
ここで、本実施形態の電子カメラ１の電気回路について、図２のブロック構成図を用いて説明する。
本実施形態の電子カメラ１においては、制御手段であるＣＰＵ１７０が内蔵されており、上記ＣＰＵ１７０により本電子カメラ１の各制御要素全体が制御される。まず、撮影光学系１１１を通過した被写体の画像は、上記ＣＰＵ１７０の制御のもとで撮像素子であるＣＣＤ５５で電気信号に変換される。ＣＣＤ５５で変換された電気信号は、撮像回路１１３でアナログ画像信号に変換された後に、Ａ／Ｄ変換回路１１４によってテジタル画像信号に変換される。
【００３７】
そして、上記デジタル画像信号は、例えば、外部メモリである着脱可能なフラッシュメモリカード，スマートメモリカード等の記録媒体としての記録メディアカード（メモリカード）１２０にインターフェース（Ｉ／Ｆ）１２１を介して記録される。なお、記録メディアカード１２０は、メディアスロット２１に着脱可能である。
【００３８】
また、電子カメラ１の電気回路には、処理速度の早い内蔵メモリ１３０や画像処理回路１４０が設けられており、該内蔵メモリ１３０は、例えば、ランダムアクセスメモリ（ＲＡＭ）等が適用され、各画像処理における作業用メモリとして、或いは、一時的な画像記憶手段の高速バッファとして利用される。また、上記画像処理回路１４０は、Ａ／Ｄ変換回路１１４によりテジタル化された画像データに基づいてＲＧＢ信号への変換、画素数の変換、データの圧縮、伸長などの処理を行う。
【００３９】
さらに、電子カメラ１には、前述した画像表示用ＬＣＤ表示板１５（液晶表示装置）が搭載されているが、このＬＣＤ表示板１５には、メモリカード１２０に記録された画像の確認や、撮影しようとする被写体画像が表示される。ＬＣＤ表示板１５に表示される画像は、内蔵メモリ１３０からの画像情報が、一旦、ビデオメモリ１５１に取り込まれた後、ヒデオ出力回路１５２にてヒデオ画像に変換されて表示される画像である。また、ヒデオ出力回路１５２は、ヒデオ出力用の外部端子１５３を介して外部表示装置にヒデオ画像を出力することも可能である。
【００４０】
上記ＣＰＵ１７０は、上記レリーズ釦２６の操作によるレリーズスイッチ５８ｄの撮影開始信号を取り込み、ＣＣＤ５５により撮像を行ったり、上記モード設定釦２７ｂの操作による操作部１７３であるモード設定スイッチ５８ｆの各種モードの設定信号を取り込み、撮影モードの設定を行う。その設定モードは、モードＬＣＤ１７２に表示される。また、ＣＰＵ１７０の制御に基づいて、被写体の撮像時における光量が不足している場合にはストロボユニット７のストロボ発光管１４をオンにし、ストロボ撮影が行われる。
【００４１】
さらに、ＣＰＵ１７０には、撮影光学系の合焦駆動およびズーム駆動を行うレンズ駆動源である第１，２ステップモータ５３，５４がドライバ１７１を介して接続されており、上記モータによるレンズ駆動が行われる。
【００４２】
また、ＣＰＵ１７０には、被写体光量調整装置であって、ＮＤフィルタユニット４７を駆動するためのＮＤフィルタ用ソレノイド５１およびシャッタユニット４８を駆動するためのシャッタ用ソレノイド５２がドライバ１７１を介して接続されており、上記ソレノイドによる光量調整駆動が行われる。
【００４３】
また、ＣＰＵ１７０には、撮影光学系の進退移動のリセット位置を検出するための検出手段であるフォトリフレクタ（以下、ＰＲと記載する）８６，８７が接続されている。上記撮影光学系１１１のリセット駆動時のリセット位置検出が行われる。
【００４４】
外部インターフェース（外部Ｉ／Ｆ）１６１は、外部入出刀端子１６０に接続され、外部機器とのデータの入出力を行う。この外部入出力端子１６０には、例えば、パーソナルコンピュータ等が接続され、メモリカード１２０内の画像をパーソナルコンピュータ等に転送し、また、パーソナルコンピュータ等から画像データが取り込まれる。
【００４５】
また、本電子カメラ１の各制御要素には電源ユニット６の電池１２からの電力が電源部１８０を介して供給され、駆動される。なお、電池１２は、電源部１８０の制御により充電可能である。
【００４６】
なお、上記図２のブロック構成図に示される電気基板ユニット５の図面枠内に記載される主な電装部品が上述した電気基板ユニット５のメイン基板１８，サブ基板１９上に実装されるものとする。
【００４７】
次に、上記レンズ鏡筒１０の構成について、レンズ鏡筒の分解斜視図である図３、レンズ鏡筒のＸＹ面に沿った断面図である図４、および、後述する図５のＣ−Ｃ断面図である図７等を用いて説明する。
【００４８】
上記レンズ鏡筒１０は、図３，４，７に示すように第１の保持枠である１群枠３１と、枠部材である固定枠３２とを有しており、上記１群枠３１には、反射光学部材のプリズム３３と、１群レンズ３４と、光量調整手段であるＮＤフィルタユニット４７と、フィルタ用駆動源であるＮＤフィルタ用ロータリーソレノイド（以下、ソレノイドと記載）５１と、シャッタ用駆動源（セクタ用駆動源）であるシャッタ用ソレノイド５２が内蔵される。
【００４９】
上記固定枠３２の内部には、ＮＤフィルタユニット４７と対向するように固定枠３２の開口部３２ａ側に、中央開口部７８ａを有するＮＤフィルタ保護シート７９付きの支持シート７８と、光軸Ｏ２  に沿った状態で光量調整手段（シャッタ手段）であるシャッタユニット４８、その下方に進退可能な第２の保持枠（第１の可動保持枠）である２群枠３８に保持されるズーム用レンズ群の２群レンズ３５と、さらに、進退可能な第３の保持枠（第２の可動保持枠）である３群枠３９に保持されるズーム，フォーカス用レンズ群の３群レンズ３６と、さらに、固定枠３２の下方開口部３２ｂに保持される４群レンズ３７と、ＣＣＤ基板５６上に実装され、被写体光束の結像位置に位置する撮像素子のＣＣＤ５５とが順に配置されている。なお、図７に示すようにレンズ鏡筒１０の下部に配置されるＣＣＤ５５およびＣＣＤ基板５６は、その平面部が第２の光軸Ｏ２  と直交する方向に沿った状態で固定枠３２の後方（Ｚ（−）方向）に僅かに突出した状態で配置される。
【００５０】
さらに、上記固定枠３２の内部に設けられる部材として、第２の光軸Ｏ２  （すなわち、Ｙ方向）に沿った左右に両端が固定枠３２に固定保持される吊り軸４１および回転止め軸４２と、２群枠３８を進退駆動するズーム駆動用であってモータユニットを構成する第１レンズ用駆動源の第１ステップモータ５３と、３群枠３９を進退駆動するズーム，フォーカス駆動用であってモータユニットを構成する第２レンズ用駆動源の第２ステップモータ５４と、さらに、上記２群枠３８と３群枠３９の間に挿入される圧縮バネ４６が内蔵される。また、固定枠３２の背面側は、部品組み込みのために開口部３２ｇが形成されており、その開口部３２ｇには、金属板製の固定蓋８９（図７）が装着、固定される。固定枠３２の前面側には、センサ開口部３２ｈ，３２ｉに挿入される上記ＰＲ８６，８７が実装されるＦＰＣ（図示せず）が配置される。
【００５１】
上記第１の保持枠３１は、左側直方体形状外形部分と右側背面の一部にプリズム３３の外形に沿った傾斜面３１ｃをもつＸ方向に沿った三角柱形状の外形部分とからなる外形を有し、上記プリズム３３，上記１群レンズ３４，上記ＮＤフィルタユニット４７，上記ソレノイド５１，５２等を収納し、固定枠３２の上部側にビスによりビス挿通穴３１ｆとビスネジ穴３２ｆとにより締結、結合される。
【００５２】
上記プリズム３３は、１群枠３１の前面開口部に挿入、固着される。光軸Ｏ１  に沿って入射した被写体光束は、このプリズム３３によって角度９０°折り曲げられ、第２の光軸Ｏ２  （Ｙ方向）に沿って下方開口部３１ｂに向けて反射される。
【００５３】
上記１群レンズ３４は、１群枠３１の下方開口部３１ｂの下部側に挿入、保持される。
【００５４】
上記ＮＤフィルタユニット４７は、１群枠３１の下面側に組み込まれ、被写体光量を調整するために光軸Ｏ１  と光軸Ｏ２  とを含む光軸面と略直交する方向に移動可能な光量調整部材であるＮＤフィルタを有している。
【００５５】
上記ＮＤフィルタ用ソレノイド５１とシャッタ用ソレノイド５２とは、ユニット化された状態で１群枠３１内のプリズム３３の左側に第１の光軸Ｏ１  に沿って並列して配置される。ＮＤフィルタ用ソレノイド５１は、その出力軸を介して上記ＮＤフィルタを駆動する。一方、シャッタ用ソレノイド５２の出力軸には、駆動力伝達部材であるシャッタ駆動アーム７１が固着されており、そのシャッタ駆動アーム７１に固着された軸部７２により後述するシャッタユニット４８のセクタが駆動される。
【００５６】
上記２群枠３８は、中央上部に開口部３８ａと、Ｙ方向に沿って貫通する２つのガイド孔３８ｃと、ガイド孔３８ｃの反対側に回転止め切り欠き３８ｇと、リードネジ挿入用切り欠き３８ｄ等を有している。また、２群枠３８には、ズームレンズとなる２群レンズ３５の他に開口部３８ａ側上面に上記シャッタユニット４８が配置される。この２群枠３８は、上記ガイド孔３８ｃと切り欠き３８ｇとにそれぞれ摺動自在に嵌入する吊り軸４１および回転止め軸４２により光軸Ｏ２  に沿って進退移動可能に支持される。
【００５７】
上記シャッタユニット４８は、光軸Ｏ１  および光軸Ｏ２  とを含む光軸面に直交する方向に開閉移動可能な２枚の遮蔽部材であるセクタを有しており、上記セクタは、上記シャッタ駆動アームの軸部７２で駆動されるセクタ駆動レバー４３によって開閉駆動される。
【００５８】
上記３群枠３９は、Ｙ方向に沿って貫通する２つのガイド孔３９ｂと、ガイド孔３９ｂに対向した回転止め切り欠き３９ｃと、リードネジ挿入用切り欠き３９ｄとを有しており、中央開口部にズーム，フォーカスレンズとなる３群レンズ３６が装着されている。
【００５９】
上記第１ステップモータ５３には、出力軸としてリードネジ軸８１と、他の軸であるリードネジ軸８３を支持するための軸受け部が設けられている。また、第２ステップモータ５４には、出力軸としてリードネジ軸８３と、他の軸であるリードネジ軸８３を支持するための軸受け部とが設けられている。
【００６０】
上記第１，第２ステップモータ５３，５４は、モータ取り付け板８５を介して固定枠３２の左側壁部３２ｋ（図３上では右側）内側に位置決めピン３２ｐにて位置決めされて、ビス４９にて固定支持される。すなわち、上記第１，第２ステップモータ５３，５４は、固定枠３２の２，３群枠３８，３９の配設位置の左側（図３上では右側）であって、かつ、上記ソレノイド５１，５２の下方の光軸Ｏ２  と平行な直線領域の下，上位置に互いにリードネジ軸を対向させて装着されている。上記ステップモータ装着支持状態では、下方にリードネジ軸８１を上方に向けて第１ステップモータ５３が位置し、上方にリードネジ軸８３を下方に向けて第２ステップモータ５４が位置している。
【００６１】
したがって、上記ステップモータ５３，５４の取り付け状態でリードネジ軸８１，８３は、光軸Ｏ１  と光軸Ｏ２  とを含む光軸面に平行な状態で、かつ、光軸Ｏ２  に平行な状態で配置される。そして、リードネジ軸８１，８３は、光軸Ｏ１方向に並列して配置される。また、上記ソレノイド５１，５２と上記ステップモータ５３，５４とは、光軸Ｏ２  の側方に平行な１つの直線領域上に配置されることになる。
【００６２】
上記リードネジ軸８１には、２群枠駆動ナット８２が螺合、嵌入され、リードネジ軸８３には、３群枠駆動ナット８４が螺合、嵌入される。上記螺合された２群枠駆動ナット８２の下面には、リードネジ軸８１を跨いで挿入される２群枠３８の切り欠き３８ｄの上面部３８ｈが圧縮バネ４６の付勢力で当接し、上方向に付勢される。また、上記螺合された３群枠駆動ナット８４の上面には、リードネジ軸８３を跨いで挿入される３群枠３９の切り欠き３９ｄの下面部３９ｈが圧縮バネ４６の付勢力で当接し、下方向に付勢される。このようにしてに各駆動ナット８２，８４の移動により２，３群枠３８，３９が進退駆動されるとともに各駆動ナット８２，８４と各リードネジ軸８１，８３との螺合ガタが一方向に寄せられる。
【００６３】
したがって、ステップモータ５３によりリードネジ軸８１が回転されると、２群枠駆動ナット８２を介して２群枠３８が光軸Ｏ２  に沿ってワイド位置（リセット位置）からテレ位置の間を進退駆動される。同様にステップモータ５４によりリードネジ軸８３が回転されると、３群枠駆動ナット８４を介して３群枠３９が光軸Ｏ２  に沿ってワイド位置（リセット位置）からテレ位置の間を進退駆動される。なお、ステップモータ５３，５４のリセット処理動作時には、２群枠３８と３群枠３９がリセット方向に移動し、上記各リセット位置に到達すると、上記ＰＲ８６，８７（図２）により上記リセット位置到達が検出される。
【００６４】
次に、本実施形態の電子カメラ１の前，後カバー２，３内における各構成ユニットの配置について、図５〜１０等を用いて詳しく説明する。
なお、図５は、図１のＡ−Ａ断面図であり、電子カメラ内の各構成ユニットのＸＺ断面上の配置を示している。図６は、図５のＢ−Ｂ断面図であって、電気基板ユニット部とＬＣＤユニット部とスイッチ基板部まわりの配置の縦断面を示す。図７は、図５のＣ−Ｃ断面図であって、レンズ鏡筒部とＬＣＤユニット部まわりの配置の縦断面を示す。図８は、図５のＤ−Ｄ断面図であって、電源ユニット部とＬＣＤユニット部とストロボユニット部まわりの配置の縦断面を示す。図９は、図６のＥ部拡大図であって、スイッチ基板部回りの配置を示す。図１０は、レンズ鏡筒部とＬＣＤユニット部の回りの配置の占有スペースについて本実施形態の電子カメラの場合と従来の電子カメラの場合とを比較して示した図である。
【００６５】
本実施形態の電子カメラ１においては、図５に示すようにＸＺ断面上では、前カバー２側の中央部にレンズ鏡筒１０が配置され、その左右に電気基板ユニット５と電源ユニット６が配置されている。電源ユニット６，レンズ鏡筒１０および電気基板ユニット５の一部にかかる領域の後方であって、後カバー３の開口部３ａに対向した場所にＬＣＤユニット９が配置されている。
【００６６】
なお、上記電源ユニット６と、レンズ鏡筒１０と、電気基板ユニット５とのそれぞれＺ方向の厚み、すなわち、占有スペースの厚みは、略等しい寸法を有している（図５）。さらに、ＬＣＤユニット９のＬＣＤ表示板１５のＸＹ平面上の占有エリアは、電池ユニット６とレンズ鏡筒１０のＺ方向投影面に電気基板ユニット５のＺ方向投影面の一部を加えたエリアとなる。また、傾斜面３１ｃを除いたレンズ鏡筒１０と、電源ユニット６とＬＣＤユニット９とのＹ方向高さは、略等しくなっている。
【００６７】
一方、ＹＺ断面上での電気基板ユニット５とＬＣＤユニット９の配置は、図５のＢ−Ｂ断面図である図６、および、図６のＥ部拡大図である図９に示すようにＬＣＤユニット９の上方、かつ、電気基板ユニットの斜め上の後方にスイッチ基板５８が配置され、レリーズ釦２６，２７ａ，２７ｂの直下位置にスイッチ基板５８のスイッチ群５８ｄ，５８ｅ，５８ｆが位置する。上記スイッチ基板５８には、上述のように各スイッチ群が実装されるとともに、上記スイッチ基板５８は、ＬＣＤユニット６のための中継基板としても機能する。
【００６８】
すなわち、上記スイッチ基板５８に設けられるコネクタ５８ａを介して接続用ＦＰＣ２３によりスイッチ基板５８とメイン基板１８と接続された状態では、スイッチ基板５８上のレリーズスイッチ５８ｄと、パワースイッチ５８ｅと、モード設定スイッチ５８ｆは、メイン基板１８側と当然接続状態となる。同時に接続用ＦＰＣ５９ａ，５９ｂを介して接続されているＬＣＤ表示板１５およびＬＣＤ照明用光源１６の信号ラインや駆動電源ラインがスイッチ基板５８を中継基板としてメイン基板１８側に接続される。
【００６９】
したがって、ＬＣＤユニット９のＬＣＤ表示板１５，ＬＣＤ照明用光源１６とメイン基板１８とを接続するための長い接続用ＦＰＣが不要になると同時にＬＣＤ表示板１５，ＬＣＤ照明用光源１６とスイッチ基板５８とを接続する接続用ＦＰＣ５９ａ，５９ｂが短くなり、さらに、スイッチ基板５８とメイン基板１８とを接続する接続用ＦＰＣ２３も短くなる。そのことからそれらのＦＰＣを損傷する危惧も少なくなり、容易に接続作業が行える。また、上記接続用ＦＰＣが短くなることから各信号が雑音の影響を受けにくくなる。さらに、組み立て時、ＬＣＤユニット９とスイッチ基板５８とをユニット化して組み付け可能となる。同時に電気基板ユニット５のメイン基板１８，サブ基板１９の上方領域に配設部材がないことから上記電気基板の面積を十分にとることが可能になる。さらに、後カバー３側にＬＣＤユニット９とスイッチ基板５８とがまとめて組み込まれることから、前カバー２側のレンズ鏡筒１０と電源ユニット６と電気基板ユニット５との分離が極めて容易であり、修理作業性が向上する。
【００７０】
また、ＹＺ断面上でのレンズ鏡筒１０とＬＣＤユニット９の配置は、図５のＣ−Ｃ断面図である図７（レンズ鏡筒部は、図４のＦ−Ｆ断面を示す）に示すようにレンズ鏡筒１０の後方にＬＣＤユニット９が配置されるが、上記ＬＣＤユニット９は、ＬＣＤ照明光源１６を上方に配置し、後方側にＬＣＤ表示板１５を配置し、厚みが上下で異なっている導光板１７をその厚みの厚い方をＬＣＤ照明光源１６側に厚みの薄い方を下方にした状態でＬＣＤ表示板１５の前面に密着させて配置する。上記ＬＣＤユニット９の下方部分は、後方に後退した状態になっている。その後方に後退した部分にレンズ鏡筒１０の下方部のＣＣＤ５５およびＣＣＤ基板５６の突出部を位置させる。その状態でＣＣＤ基板５６の下面とＬＣＤユニット９の下面とは、略同一面上にあり、前カバー２および後カバー３の底面部にデットスペ−スのない状態となる。さらに、上記ＣＣＤ５５およびＣＣＤ基板５６の突出部の上側でレンズ鏡筒１０の背面部とＬＣＤ表示板１５との間に形成される隙間のＦＰＣ挿通路Ｓ１  には、ＣＣＤ基板５６とメイン基板１８とを接続するＣＣＤ接続用ＦＰＣ５７が挿通される。
【００７１】
また、ＹＺ断面上での電源ユニット６とＬＣＤユニット９とストロボユニット７の配置は、図５のＤ−Ｄ断面図である図８に示すように電源ユニット６とＬＣＤユニット９が重なった状態で配置され、その上部にストロボ発光管１４，反射傘１３ａを有するストロボユニット７が配置される。さらに、ストロボチャージ用のコンデンサ８がＬＣＤユニット９の上部、かつ、ストロボユニット７の後方領域からレンズ鏡筒の上方傾斜面３１ｃの後方にできるＸ方向に沿った台形断面の空間に配置される。
【００７２】
上述のような構成ユニット部材の配置を採用することによって、レンズ鏡筒１０とＬＣＤユニット９との下面部が略同一平面に位置するようにして、前カバー２，後カバー３の底面部のデートスペ−スをなくし、かつ、レンズ鏡筒１０とＬＣＤユニット９との間に僅かな隙間をＣＣＤ接続用ＦＰＣ５７を挿通させることで上記隙間を有効に利用し、さらには、ストロボチャージ用コンデンサ８をレンズ鏡筒１０とＬＣＤユニット１６とでできるスペースに配置する。このような配置を採用することで本実施形態の電子カメラ１のＺ方向の厚みをより薄く設定することができ、また、電子カメラ１の上下方向の高さを抑えることができ、カメラのコンパクト化が実現できる。
【００７３】
また、本実施形態の電子カメラ１のレンズ鏡筒まわりのＹＺ平面上の配置を従来の電子カメラと比較した場合、図１０の配置図に示すように従来の電子カメラでは、レンズ鏡筒１０′の下部のＣＣＤ５５，ＣＣＤ基板５６まわりの突出部分を避けてＬＣＤユニット９′を高さＬのレンズ鏡筒１０′より上方にオフセット量ΔＬだけずらして配置する必要があった。したがって、この従来の電子カメラでは、Ｚ方向の厚みを厚くしない代わりにＬＣＤユニット９′の上方へのずれによりカメラのＹ方向の高さが上記オフセット量ΔＬだけ高くせざるを得なかった。
【００７４】
それに対して本実施形態の電子カメラ１では、図１０に示すようにＬＣＤユニット９の下方の厚みが薄い部分にレンズ鏡筒１０の下方のＣＣＤ５５まわりの突出部分を位置させることによって、ＬＣＤユニット９の上方向へのオフセットをさせない状態でレンズ鏡筒１０とＬＣＤユニット９を接近させて配置されている。したがって、Ｚ方向の厚みを増やさず、しかも、Ｙ方向の高さを増やすことなく電子カメラの外形の小型化と薄型化を同時に実現可能としている。さらに、ＬＣＤユニット９を上方へずらす必要がなく、ＬＣＤユニット９の上部にできるスペースＳ２  にＬＣＤユニット９のための中継基板でもあるスイッチ基板５８を配置することによって、上部空きスペースを効率よく利用することができる。それとともに上記スイッチ基板５８まわりの接続用ＦＰＣ５９ａ，５９ｂ等の収納作業が容易になり、かつ、上記接続用ＦＰＣの長さを短くすることで雑音発生も抑えられる。
【００７５】
また、一方後カバー３側のＬＣＤユニット９，スイッチ基板５８が前カバー２側のレンズ鏡筒１０，電源ユニット６，電気基板ユニット５から分離し易く、修理時の分解が極めて容易となり、修理作業性が向上する。
【００７６】
なお、上記電子カメラ１のスイッチ基板５８の配置に関する変形例として、上記スイッチ基板をＬＣＤユニット９と電気基板ユニット５との上部に跨ったＸＺ平面にスイッチ基板を配置するカメラも提案可能である。この変形例では、上記スイッチ基板の実装面積を広げることが可能である。
【００７７】
【発明の効果】
上述のように本発明の請求項１、または、２記載のカメラによると、上記導光板の薄い側を上記レンズ鏡筒の突出する側である撮像素子側に配置することで表示ユニットとレンズ鏡筒とを近接して配置することができ、カメラの小型化を図ることができる。
【００７８】
本発明の請求項３記載のカメラによると、請求項２記載のカメラの効果に加えて、さらに導光板とレンズ鏡筒との隙間を利用して撮像素子と電気基板ユニットとを接続する接続用ＦＰＣを挿通させ、カメラのさらなる小型化、特に薄型化が可能になる。
【００７９】
本発明の請求項４乃至６記載のカメラによると、請求項１乃至３記載のカメラの効果に加えて、さらに上記撮像素子とは反対側に配される上記スイッチ基板を介して上記表示ユニットと上記電気基板ユニットを接続するようにしたので電気基板ユニットに直接接続するための中継専用の基板が削減でき、電気基板ユニットの実装面積を大きくすることができる。さらに、上記スイッチ基板は、上記表示ユニットの上部に配されるために両者の間隔が短くなり、接続しやすく、組み立て性が向上し、かつ、雑音発生が抑えられる。
【００８０】
本発明の請求項７記載のカメラによると、請求項４乃至６記載のカメラの効果に加えて、さらに上記表示ユニット、上記操作部材、上記スイッチ基板を単一の部材である上記外装部材に取り付けることにより上記表示ユニットと上記スイッチ基板との接続が簡便となる。また、上記スイッチ基板と上記電気基板との接続を外すだけで外装部材側をカメラ側から分離し、電気的接続を断つことができ、組み立て時、または、修理時の作業性が向上する。
【図面の簡単な説明】
【図１】本発明の一実施形態である電子カメラの分解斜視図である。
【図２】上記図１の電子カメラの電気回路のブロック構成図である。
【図３】上記図１の電子カメラのレンズ鏡筒を背面側から見た分解斜視図である。
【図４】上記図１の電子カメラのレンズ鏡筒の縦断面図である。
【図５】上記図１のＡ−Ａ断面図であり、上記電子カメラの横断面の配置を示す。
【図６】上記図５のＢ−Ｂ断面図である。
【図７】上記図５のＣ−Ｃ断面図である。
【図８】上記図５のＤ−Ｄ断面図である。
【図９】上記図６のＥ部拡大図である。
【図１０】上記図１の電子カメラにおけるレンズ鏡筒部とＬＣＤユニット部の回りの占有スペースと、従来の電子カメラのレンズ鏡筒部とＬＣＤユニット部の回りの占有スペースとを比較して示した図である。
【符号の説明】
３  …後カバー（外装部材）
５  …電気基板ユニット
９  …ＬＣＤユニット（表示ユニット）
１０  …レンズ鏡筒
１５  …ＬＣＤ表示板（液晶表示板）
１６  …ＬＣＤ照明用光源（照明用光源）
１７  …導光板
２６  …レリーズ釦（操作部材）
２７ａ…パワースイッチ釦（操作部材）
２７ｂ…モード設定釦（操作部材）
３３  …プリズム（反射光学部材）
３５  …２群レンズ
（レンズ群，光学系）
３６  …３群レンズ
（レンズ群，光学系）
５５  …ＣＣＤ（撮像素子）
５６  …ＣＣＤ基板（撮像素子基板）
５７  …ＣＣＤ接続用ＦＰＣ
（撮像素子接続用フレキシブルプリント基板）
５８  …スイッチ基板
５８ｄ…レリーズスイッチ（スイッチ手段）
５８ｅ…パワースイッチ（スイッチ手段）
５８ｆ…モード設定スイッチ（スイッチ手段）
Ｏ１  …第１の光軸
Ｏ２  …第２の光軸
【図１】
2004173204.tif 000003
【図２】
2004173204.tif 000004
【図３】
2004173204.tif 000005
【図４】
2004173204.tif 000006
【図５】
2004173204.tif 000007
【図６】
2004173204.tif 000008
【図７】
2004173204.tif 000009
【図８】
2004173204.tif 000010
【図９】
2004173204.tif 000011
【図１０】
2004173204.tif 000012